(57)【要約】【課題】畦の高さに対応した上面整畦部の着脱に際し、新たな工具を必要とすることなく、また、着脱に係る構成を簡易にし、容易かつ迅速に着脱作業を行うことができる畦塗り機の整畦体を提供する。【解決手段】上面整畦部３０に対して被覆上面整畦部４０を取り外す操作の際に把持して被覆上面整畦部４０を回動させる操作が可能な回動操作部材１００を備えている。これにより、ユーザは回動操作部材１００を把持しながら被覆上面整畦部４０を回動させる操作が可能となることから、畦塗り作業によって法面整畦部２０と被覆上面整畦部４０との間に土が侵入し、上面整畦部３０に対する被覆上面整畦部４０の結合が強固となる場合においても、ユーザは、上面整畦部３０に対して被覆上面整畦部４０を容易に回動させることができる。【選択図】図２０
2014124156.tif 000002
【特許請求の範囲】
【請求項１】
扇形の複数枚の法面羽根板を周方向に連結して略円錐形状として構成され、軸回りの回転により畦の法面を整畦する法面整畦部と、
略柱形状であるとともに基端部を前記法面整畦部の頂部に固着され、軸回りの回転により畦の上面を整畦する上面整畦部と、
前記上面整畦部を入れ子状に内挿して前記上面整畦部の側壁面及び頂壁面を覆うとともに、前記上面整畦部に対して着脱が可能な被覆上面整畦部と、を備え、
前記上面整畦部に対して前記被覆上面整畦部を回動させることで、前記着脱を行う畦塗り機であって、
前記上面整畦部に対して前記被覆上面整畦部を着脱する操作の際に把持して前記被覆上面整畦部を回動させる操作が可能な回動操作部材を備えた
ことを特徴とする畦塗り機。
【請求項２】
前記回動操作部材は、前記被覆上面整畦部を着脱する操作の際に前記被覆上面整畦部の径方向外側に位置させ、前記被覆上面整畦部を着脱する操作を行わない場合に、前記被覆上面整畦部の径方向内側に位置させることが可能である
ことを特徴とする請求項１に記載の畦塗り機。
【請求項３】
前記回動操作部材は、前記上面整畦部に対して前記被覆上面整畦部を離脱させる方向の操作の操作力を作用させることが可能である
ことを特徴とする請求項２に記載の畦塗り機。
【請求項４】
前記回動操作部材は、前記被覆上面整畦部の径方向外側に位置した状態で畦塗り作業を行った場合に、畦に接触することによって前記被覆上面整畦部の径方向内側に移動する
ことを特徴とする請求項１乃至３の何れかに記載の整畦体を備える畦塗り機。
【請求項５】
前記上面整畦部に対する前記被覆上面整畦部の回動方向の位置関係を固定可能な回動方向ロック部材を備え、
前記回動操作部材は、回動方向ロック部材と一体に形成されている
ことを特徴とする請求項１乃至４の何れかに記載の整畦体を備える畦塗り機。
【請求項６】
扇形の複数枚の法面羽根板を周方向に連結して略円錐形状として構成され、軸回りの回転により畦の法面を整畦する法面整畦部と、
前記法面整畦部の頂部に設けられた取付基板と、
前記取付基板を内挿することで前記取付基板に対して着脱が可能となるとともに、軸回りの回転により畦の上面を成形する略略柱形状の上面整畦部と、を備え、
前記取付基板に対して前記上面整畦部を回動させることで、前記着脱を行う畦塗り機であって、
前記取付基板に対して前記上面整畦部を着脱する操作の際に把持して前記上面整畦部を回動させる操作が可能な回動操作部材を備えた
ことを特徴とする畦塗り機。
【請求項７】
扇形の複数枚の法面羽根板を周方向に連結して略円錐形状として構成され、軸回りの回転により畦の法面を整畦する法面整畦部と、
略柱形状であるとともに基端部を前記法面整畦部の頂部に固着され、前記回転により畦の上面を形成する上面整畦部と、
前記上面整畦部に対して着脱が可能となる略柱形状の延長上面整畦部と、を備え、
前記上面整畦部に対して前記延長上面整畦部を回動させることで、前記着脱を行う畦塗り機であって、
前記上面整畦部に対して前記延長上面整畦部を着脱する操作の際に把持して前記延長上面整畦部を回動させる操作が可能な回動操作部材を備えた
ことを特徴とする畦塗り機。
【発明の詳細な説明】
【技術分野】
【０００１】
本発明は、畦の法面を整畦する法面整畦部及び畦の上面を整畦する上面整畦部から構成される整畦体を備える畦塗り機に関する。
【背景技術】
【０００２】
従来、畦塗り機の整畦体として、畦の法面を整畦するために、扇形の複数枚の法面羽根板を周方向に連結して略円錐形状に構成された法面整畦部と、畦の上面を整畦するために、その法面整畦部の頂部に装着されるとともに略柱形状に構成された上面整畦部とを有する整畦体が知られている。
【０００３】
そして、上面整畦部は、畦塗り作業において、畦の上面からの反作用を過大に受けるため、法面整畦部の頂部に強固に固定される必要性から、複数本の太いボルトを介して、法面整畦部の頂部に固着される構成が多く採用されている（特許文献１）。
【０００４】
ここにおいて、実際の畦塗り作業においては、圃場により畦の高さが異なることがあり、予め、径の大きさの異なる上面整畦部を数個用意しておき、畦の高さを確認した上で、その都度、その畦の高さに適した上面整畦部を装着することが望ましい。
【０００５】
このため、複数本の太いボルトを用いて上面整畦部を法面整畦部の頂部に固着した構成（特許文献１）においては、工具等を用いることで、これら複数本のボルトを取り外し、畦の高さに適した上面整畦部を適宜選択するとともに、工具等を用いてその上面整畦部を法面整畦部の頂部に適宜固着することとしている。
【０００６】
また、その一方で、圃場によって異なる畦の高さに対応するため、上面整畦部にカムレバー等からなる着脱機構を備え、その都度、そのカムレバー等の簡易操作によって、法面整畦部に対して上面整畦部を取り外し、畦の高さに適した上面整畦部を法面整畦部に装着する構成も知られている（特許文献２）。
【先行技術文献】
【特許文献】
【０００７】
【特許文献１】特開２０１０−５１２８１号公報
【特許文献２】特開２０１１−１２５３０３号公報
【発明の概要】
【発明が解決しようとする課題】
【０００８】
しかしながら、複数本の太いボルトを用いて上面整畦部を法面整畦部の頂部に固着した構成（特許文献１）においては、そのボルトの着脱のため工具を必要とし、作業が煩雑になり、また、上面整畦部の側面にボルトを取り付けるタップ（穴部）を施していることから、そのタップへの土付着が発生し、ボルトの締め付け不良を引き起こしてしまうといった問題があった。
【０００９】
また、上面整畦部にカムレバー等からなる着脱機構を備えた構成（特許文献２）においては、法面整畦部の頂部においても、その着脱機構に対応した機構を備えることが必要となり、また、カムレバー等からなる着脱機構が複雑なことから、部品等のコストアップを招いてしまうといった問題があった。
さらに、機構の複雑性から壊れやすいといった問題もあった。
【００１０】
そこで本発明は、畦の高さに対応した上面整畦部の着脱に際し、新たな工具を必要とすることなく、また、着脱に係る構成を簡易にし、容易かつ迅速に着脱作業を行うことができる畦塗り機を提供することを目的とする。
【課題を解決するための手段】
【００１１】
請求項１に記載の発明は、扇形の複数枚の法面羽根板を周方向に連結して略円錐形状として構成され、軸回りの回転により畦の法面を整畦する法面整畦部と、略柱形状であるとともに基端部を前記法面整畦部の頂部に固着され、軸回りの回転により畦の上面を整畦する上面整畦部と、前記上面整畦部を入れ子状に内挿して前記上面整畦部の側壁面及び頂壁面を覆うとともに、前記上面整畦部に対して着脱が可能な被覆上面整畦部と、を備え、前記上面整畦部に対して前記被覆上面整畦部を回動させることで、前記着脱を行う畦塗り機であって、前記上面整畦部に対して前記被覆上面整畦部を着脱する操作の際に把持して前記被覆上面整畦部を回動させる操作が可能な回動操作部材を備えたことを特徴とする。
【００１２】
請求項２に記載の発明は、請求項１に記載の畦塗り機であって、前記回動操作部材は、前記被覆上面整畦部を着脱する操作の際に前記被覆上面整畦部の径方向外側に位置させ、前記被覆上面整畦部を着脱する操作を行わない場合に、前記被覆上面整畦部の径方向内側に位置させることが可能であることを特徴とする。
【００１３】
請求項３に記載の発明は、請求項２に記載の畦塗り機であって、前記回動操作部材は、前記上面整畦部に対して前記被覆上面整畦部を離脱させる方向の操作の操作力を作用させることが可能であることを特徴とする。
【００１４】
請求項４に記載の発明は、請求項１乃至３の何れかに記載の畦塗り機であって、前記回動操作部材は、前記被覆上面整畦部の径方向外側に位置した状態で畦塗り作業を行った場合に、畦に接触することによって前記被覆上面整畦部の径方向内側に移動することを特徴とする。
【００１５】
請求項５に記載の発明は、請求項１乃至４の何れかに記載の畦塗り機であって、前記上面整畦部に対する前記被覆上面整畦部の回動方向の位置関係を固定可能な回動方向ロック部材を備え、前記回動操作部材は、回動方向ロック部材と一体に形成されていることを特徴とする。
【００１６】
請求項６に記載の発明は、扇形の複数枚の法面羽根板を周方向に連結して略円錐形状として構成され、軸回りの回転により畦の法面を整畦する法面整畦部と、前記法面整畦部の頂部に設けられた取付基板と、前記取付基板を内挿することで前記取付基板に対して着脱が可能となるとともに、軸回りの回転により畦の上面を成形する略略柱形状の上面整畦部と、を備え、前記取付基板に対して前記上面整畦部を回動させることで、前記着脱を行う畦塗り機であって、前記取付基板に対して前記上面整畦部を着脱する操作の際に把持して前記上面整畦部を回動させる操作が可能な回動操作部材を備えたことを特徴とする。
【００１７】
請求項７に記載の発明は、扇形の複数枚の法面羽根板を周方向に連結して略円錐形状として構成され、軸回りの回転により畦の法面を整畦する法面整畦部と、略柱形状であるとともに基端部を前記法面整畦部の頂部に固着され、前記回転により畦の上面を形成する上面整畦部と、前記上面整畦部に対して着脱が可能となる略柱形状の延長上面整畦部と、を備え、前記上面整畦部に対して前記延長上面整畦部を回動させることで、前記着脱を行う畦塗り機であって、前記上面整畦部に対して前記延長上面整畦部を着脱する操作の際に把持して前記延長上面整畦部を回動させる操作が可能な回動操作部材を備えたことを特徴とする。
【発明の効果】
【００１８】
本発明によれば、ユーザは回動操作部材を把持しながら被覆上面整畦部を回動させる操作が可能となることから、畦塗り作業によって法面整畦部と被覆上面整畦部との間に土が侵入し、上面整畦部に対する被覆上面整畦部の結合が強固となる場合においても、ユーザは、上面整畦部に対して被覆上面整畦部を容易に回動させることができ、容易かつ迅速に被覆上面整畦部を取り外す作業を行うことができる。
【００１９】
また、被覆上面整畦部を取り外す操作の際には、回動操作部材の他端側を被覆上面整畦部の径方向外側に位置させることができるので、被覆上面整畦部に対して大きな回転力を付与することができる。また、被覆上面整畦部を取り外す操作を行わない場合には、回動操作部材の他端側を被覆上面整畦部の径方向内側に位置させることができるので、畦塗り作業を行う際に回動操作部材の他端側が畦に接触することはない。
【００２０】
また、回動操作部材は、上面整畦部に対して被覆上面整畦部を取り外す方向の操作の際に被覆上面整畦部を回動させる力が作用することから、畦塗り作業によって法面整畦部と被覆上面整畦部との間に土が侵入して上面整畦部と被覆上面整畦部との結合が強固となった場合に、回動操作部材を用いることで、確実に上面整畦部に対して被覆上面整畦部を取り外すことが可能となる。
【００２１】
また、回動操作部材は、格納状態でなく、他端側が被覆上面整畦部の径方向外側に位置する状態で畦塗り作業を行った場合に、他端部が畦に接触することによって被覆上面整畦部の径方向内側に移動することから、回動操作部材が格納状態にない場合でも、畦塗り作業が可能であり、また、回動操作部材の破損を防止可能である。
【００２２】
また、上面整畦部に対する被覆上面整畦部の回動方向の位置関係を固定する回動方向ロック機構と、回動操作部材と、を一体に形成したことから、回動操作部材を被覆上面整畦部の径方向外側に張り出させる操作によって、上面整畦部に対する被覆上面整畦部の回動方向の位置関係の固定を解除することができるので、ユーザは、より一層、容易かつ迅速に被覆上面整畦部を取り外す作業を行うことができる。
【００２３】
また、上面整畦部に対する被覆上面整畦部の回動方向の位置関係を固定する回動方向ロック機構と、回動操作部材と、を一体に形成したことから、被覆上面整畦部に取り付ける部品点数が少なくなることから、被覆上面整畦部の組付け工数が少なくなり、製造コストの低減を図ることが可能となる。
【００２４】
また、ユーザは回動操作部材を把持しながら法面整畦部に対して上面整畦部を回動させる操作が可能となることから、畦塗り作業によって法面整畦部と上面整畦部との間に土が侵入し、法面整畦部に対する上面整畦部の結合が強固となる場合においても、ユーザは、法面整畦部に対して上面整畦部を容易に回動させることができ、容易かつ迅速に上面整畦部を取り外す作業を行うことができる。
【００２５】
また、ユーザは回動操作部材を把持しながら上面整畦部に対して延長上面整畦部を回動させる操作が可能となることから、畦塗り作業によって上面整畦部と延長上面整畦部との間に土が侵入し、上面整畦部に対する延長上面整畦部の結合が強固となる場合においても、ユーザは、上面整畦部に対して延長上面整畦部を容易に回動させることができ、容易かつ迅速に延長上面整畦部を取り外す作業を行うことができる。
【図面の簡単な説明】
【００２６】
【図１】本発明が実施される畦塗り機の部分平面図である。
【図２】本発明が実施される畦塗り機の側面図である。
【図３】本発明が実施される畦塗り機の斜視図であり、同図（ａ）は畦塗り機の左斜め後方から見た畦塗り機の斜視図であり、同図（ｂ）は畦塗り機の右斜め後方から見た畦塗り機の斜視図である。
【図４】本発明が実施される畦塗り機に設けられたオフセットフレームの先端側の部分拡大模式側面図である。
【図５】本発明が実施される法面整畦部の斜視図である。
【図６】本発明が実施される上面整畦部の断面構成図等である。
【図７】本発明が実施される被覆上面整畦部の断面構成図等である。
【図８】本発明が実施される把持部材等の断面構成図等である。
【図９】本発明が実施されるフック部材等の断面構成図である。
【図１０】本発明が実施される上面整畦部及び被覆上面整畦部の断面構成図である。
【図１１】本発明が実施される上面整畦部及び被覆上面整畦部の断面構成図等である。
【図１２】本発明が実施される上面整畦部及び被覆上面整畦部の断面構成図等である。
【図１３】本発明が実施される上面整畦部及び被覆上面整畦部の断面構成図等である。
【図１４】本発明が実施される上面整畦部及び被覆上面整畦部の断面構成図等である。
【図１５】本発明が実施される上面整畦部及び被覆上面整畦部の断面構成図等である。
【図１６】本発明が実施される上面整畦部及び被覆上面整畦部の構成図である。
【図１７】本発明が実施される被覆上面整畦部におけるピン部材の断面図である。
【図１８】本発明が実施される被覆上面整畦部の断面構成図等である。
【図１９】本発明が実施される被覆上面整畦部の断面構成図等である。
【図２０】本発明の第１実施形態を示す上面整畦部及び被覆上面整畦部の断面構成図等である。
【図２１】本発明の第２実施形態を示す上面整畦部及び被覆上面整畦部の断面構成図等である。
【図２２】本発明の第３実施形態を示す上面整畦部及び被覆上面整畦部の断面構成図等である。
【図２３】本発明の第４実施形態を示す取付基板及び被覆上面整畦部の断面構成図等である。
【図２４】本発明の第５実施形態を示す上面整畦部及び延長上面整畦部の断面構成図等である。
【発明を実施するための形態】
【００２７】
以下、本発明に係る整畦体の好ましい実施の形態について、説明する。
ここにおいて、先ず、図１（部分平面図）及び図２（側面図）を参照しながら、走行機体に牽引される畦塗り機の全体的な概要を説明し、説明の参考として、畦塗り機の斜視図（図３）も参照する。
【００２８】
畦塗り機１は、図１及び図２に示すように、走行機体９０の後部に設けられた三点リンク連結機構９１に連結されて、走行機体９０の前進及び後進に応じて畦塗り作業を行うものである。この畦塗り機１は、走行機体９０に装着されて走行機体９０からの動力が入力される入力軸８ａを備えた装着部５と、装着部５に設けられ進行方向に対して左右方向に回動可能に支持されたオフセット機構部１０と、オフセット機構部１０の先端側に旋回自在に配設されて入力軸８ａから伝達される動力によって作業を行なう作業部６０を有して構成される。
【００２９】
装着部５は、機体幅方向に延びるヒッチフレーム６と、ヒッチフレーム６の前方に設けられて走行機体９０の後部に設けられた三点リンク連結機構９１に連結される連結フレーム７を有して構成される。ヒッチフレーム６の幅方向の中央下部にはギアボックス８が設けられ、このギアボックス８には前述した入力軸８ａが設けられている。
【００３０】
オフセット機構部１０は、その基端側をヒッチフレーム６に回動自在に連結されて後方側へ延びるオフセットフレーム１１と、オフセットフレーム１１の幅方向一方側に沿って並設されて基端側がヒッチフレーム６の一方側端に回動自在に連結されたリンク部材１３と、オフセットフレーム１１の先端側とリンク部材１３の先端側との間に回動自在に連結された回動支持アーム１５とを有して構成される。
【００３１】
オフセットフレーム１１は、内部が中空状に形成された箱状部材であり、オフセットフレーム１１の先端側とヒッチフレーム６の一方側端部との間に接続された揺動シリンダ１７の伸縮により、オフセットフレーム１１は進行方向に対して左右方向に揺動可能である。また、オフセットフレーム１１の上部には動力伝達機構（図示省略）が設けられ、この動力伝達機構によって、走行機体９０から入力軸８ａに伝達された動力がオフセットフレーム１１の先端側に回転自在に配設された従動軸１２に伝達可能に構成されている。
【００３２】
リンク部材１３の先端部は、オフセットフレーム１１の先端部に回動自在に設けられた回動支持アーム１５の一方側端に回動自在に取り付けられている。
ここで、図３（ａ）を参照しながら詳細に説明すると、回動支持アーム１５は、進行方向に対して左右方向に延びる平行リンクフレーム部１５ａと、平行リンクフレーム部１５ａの基端側端部分から装着部５側へ延びるリンクアーム部１５ｂとを有してなり、リンクアーム部１５ｂの基端側がオフセットフレーム１１の先端側下部に回動自在に取り付けられている。
このように構成されたオフセット機構部１０は、図１に示す通り、オフセットフレーム１１、リンク部材１３、ヒッチフレーム６及び回動支持アーム１５によって平行リンク機構を形成している。
【００３３】
なお、揺動シリンダ１７は、電動式油圧シリンダであり、図示しない制御装置からの制御信号に応じて伸縮するようになっている。
【００３４】
また、図４（部分拡大模式側面図）に示すように、オフセットフレーム１１の先端部に設けられた従動軸１２の下部には、動力伝達軸１４が従動軸１２と同軸上に配置されて下方へ連結されて、動力伝達軸１４は従動軸１２の回転に伴って回転する。またオフセットフレーム１１の先端下部には、動力伝達軸１４と同軸上に配置された円筒状の連結部１８がオフセットフレーム１１に対して回動自在に取り付けられている。この連結部１８は動力伝達軸１４と非結合状態にあり、動力伝達軸１４を回動中心として回動自在である。この連結部１８の下部に作業部６０の一部である伝動支持ケース６１の基端部が接続され、連結部１８の上部に作業部６０の一部である伝動支持フレーム６５が接続されている。このため、作業部６０はオフセット機構部１０に設けられた動力伝達軸１４の中心軸線を回動支点Ｏとして回動可能である。
【００３５】
なお、畦塗り機の構成のうち、回動支点Ｏを回動の中心軸として回動することが可能な部位であって、伝動支持ケース６１及び伝動支持フレーム６５を含み、その先端部側に配設される天場処理部６２、前処理部６４、整畦体６６の構成を、作業部６０として定義し、説明する。
【００３６】
伝動支持ケース６１には、図１、図３（ａ）、図３（ｂ）に示すように、その先端側には、圃場の周辺に沿って形成された旧畦の上部を切り崩す天場処理部６２と、切り崩した土の土盛りを行なう前処理部６４が配設され、伝動支持ケース６１の基端側には盛られた土を切り崩された旧畦上に塗り付ける整畦体６６が配設されている。伝動支持ケース６１内には不図示の動力伝達機構が内蔵され、この動力伝達機構は、従動軸１２からの動力を受けて天場処理部６２、前処理部６４、整畦体６６に動力伝達可能に構成されている。
【００３７】
天場処理部６２は、回転自在な天場処理ロータ６２ａ（図３（ｂ）参照）を備える。天場処理ロータ６２ａは天場動力伝達ケース６３を介して上下方向に回動可能に伝動支持ケース６１に連結された前処理部６４の先端部に連結されるとともに、伝動支持フレーム６５を介して支持されている。天場動力伝達ケース６３内には図示しない動力伝達機構が内蔵され、この動力伝達機構を介して伝動支持ケース６１の動力伝達機構に伝達された動力が天場処理ロータ６２ａに伝達されるようになっている。
【００３８】
前処理部６４は、回転自在な耕耘爪６４ａ（図２参照）を備える。耕耘爪６４ａは伝動支持ケース６１内の動力伝達機構を介して動力が伝達され、前処理部６４は伝動支持ケース６１に連結され伝動支持フレーム６５を介して支持されている。
【００３９】
整畦体６６は、伝動支持ケース６１に回転自在に支持された略円錐形状の法面整畦部２０と、法面整畦部２０の頂部に取り付けられて畦方向に延びる上面整畦部３０とを有してなる。整畦体６６は伝動支持ケース６１内の動力伝達機構を介して回転動力が伝達されるように構成され、伝動支持ケース６１に支持されている。このため、作業部６０は連結部１８を介してオフセット機構部１０の先端側に設けられた動力伝達軸１４（図４参照）の中心軸線を回動支点Ｏとして旋回可能である。
【００４０】
次に、法面整畦部２０及び法面整畦部２０を構成する法面羽根板２１について、図５を参照しながら説明する。
法面整畦部２０は、図５に示す通り、扇形をした複数枚の法面羽根板２１を半径方向の直線部分で互いに連結することにより全体として略円錐形状に形成されており、中心位置である頂部には、複数枚の法面羽根板２１を連結する際の位置決めの基準になるとともに、上面整畦部３０を固定するための固定部２４が配置されている。
【００４１】
また、各々の法面羽根板２１は、法面整畦部２０の回動方向（図中矢印Ｖ）の下流側に向けて張り出す張出部２２と、回動方向の上流側に向けて延びる重なり部２３とを有している。
そして、周方向に隣接する複数枚の法面羽根板は、互いの境界部分において上下間隔を置き、法面整畦部２０における回動方向の下流側に位置する下流側法面羽根板２１ｂの重なり部２３を、上流側に位置する上流側法面羽根板２１ａの張出部２２の背面側に連結されている。
【００４２】
具体的に説明すると、互いに隣接する上流側法面羽根板２１ａ及び下流側法面羽根板２１ｂは、上流側法面羽根板２１ａと下流側法面羽根板２１ｂとの間に固定部２４の保持部２４ａを挟み込むことで支持され、この上流側法面羽根板２１ａ及び下流側法面羽根板２１ｂの間に上下間隔が形成された状態で、互いに溶接等により接合されている。
【００４３】
このように、上下間隔を設けておくことで、法面整畦部２０が図中矢印Ｖに向けて回転して、整畦が行われる際には、各法面羽根板２１の表面と畦の法面との間の距離は、この回動方向の上流側から下流側へかけて次第に小さくなるため、各法面羽根板２１による畦の法面を押圧する力が上流側から下流側へかけて次第に大きくなり、効果的に土表面を締め固めることが可能となっている。
【００４４】
なお、固定部２４には、上面整畦部３０を固定するため、ボルト等を貫通可能とする孔２４ｃが設けられている。
【００４５】
次に、上面整畦部３０及び被覆上面整畦部４０の詳細な構成について、図６（ａ）、（ｂ）及び図７（ａ）、（ｂ）を参照しながら説明する。
ここにおいて、図６（ａ）及び図７（ａ）は、それぞれ上面整畦部３０及び被覆上面整畦部４０の構成について、説明の便宜上、主要な構成を理解し易く示した断面構成を示すものである。
【００４６】
そして、図６（ｂ）及び図７（ｂ）は、図６（ａ）及び図７（ａ）に示す各々の構成について、上面整畦部３０の頂壁面３１（被覆上面整畦部４０の頂面４１）から法面整畦部２０の方向を見た実際の外観を示している。
なお、図６（ａ）は図６（ｂ）におけるＡ−Ａ断面を示し、図７（ａ）は図７（ｂ）におけるＢ−Ｂ断面を示すものである。
【００４７】
図６（ａ）及び（ｂ）に示す通り、上面整畦部３０は、法面整畦部２０の固定部２４側に配置されている基端整畦部３０ａと、基端整畦部３０ａの先端側に装着されている先端整畦部３０ｂとから構成されている。
【００４８】
より詳細に説明すると、法面整畦部２０の固定部２４は、ドラムスペーサ７０及び動力伝達軸７２からの動力を整畦体６６に伝達するドラムボス７１に挟持されており、基端整畦部３０ａが、複数本のボルト９をドラムスペーサ７０の孔２４ｄ及び固定部２４の孔２４ｃを貫通させるとともに、そのボルト９の先端をドラムボス７１のねじ孔２４ｂに螺入することによって、固定されている。
【００４９】
さらに、基端整畦部３０ａの先端側においては、先端整畦部３０ｂが、複数本のボルト９を基端整畦部３０ａへ向けて貫通させるとともに、そのボルト９の先端を基端整畦部３０ａの基端頂壁面３３の表面に螺入することによって、固定されている。
【００５０】
ここで、複数本のボルト９を螺入させる螺入孔が施された基端頂壁面３３は、固定部２４、基端整畦部３０ａ及び先端整畦部３０ｂを複数本のボルト９にて固定している際には、上面整畦部３０の全体的な剛性を確保するための機能性を備えるものでもある。
【００５１】
また、図６（ａ）及び（ｂ）では、上面整畦部３０を基端整畦部３０ａと先端整畦部３０ｂとによって構成しているものの、これに限定されるものではなく、上面整畦部３０を一つの構成物として設けてもよい。
【００５２】
具体的には、基端整畦部３０ａ及び先端整畦部３０ｂを一体の筒構成にするとともに、図６に示す基端頂壁面３３については、剛性を有するフランジ部として内部構成させ、ボルト９を貫通させて、ドラムボス７１のねじ孔２４ｂに螺入して、法面整畦部２０に固定してもよいものである。
【００５３】
なお、先述した通り、図６（ａ）及び（ｂ）に示す構成は一例であるため、上面整畦部３０について、複数構成物の結合（例えば、基端整畦部３０ａ及び先端整畦部３０ｂ）とした場合であっても、一つの構成物として設けた場合であってもよく、詳細な構成を限定するものではない。このため、上面整畦部については、以下、「上面整畦部３０」と総称して、説明していく。
【００５４】
ここにおいて、上面整畦部３０の頂壁面３１について、断面構成図である図６（ａ）及び外観図である図６（ｂ）を用いて説明すると、頂壁面３１には、ボルト９が貫通するボルト締結孔９ａが施されている。
そして、切り欠部３２及び嵌合孔３５が施されており、更に、切り欠部３２の縁部には、係合縁部３８が設けられている。
【００５５】
次に、上面整畦部３０に装着される被覆上面整畦部４０について、被覆上面整畦部４０の断面構成図等を示す図７（ａ）及び（ｂ）を参照しながら説明する。
【００５６】
ここで、図７（ａ）に示す通り、被覆上面整畦部４０の側面４３の内側面には、上面整畦部３０が被覆上面整畦部４０の内側に入れ子状に内挿した際に、上面整畦部３０の側壁面３４（図６（ａ）及び（ｂ）参照）との間隔を周方向及び軸方向に向けて一定に保つ略円環状のガイド部材４５が複数ケ所設けられている。
【００５７】
より詳細には、このガイド部材４５の内周の直径は、上面整畦部３０の外周（側壁面３４）の直径とほぼ同じに構成されているため、略円環状のガイド部材４５の内側に上面整畦部３０がスムーズに内挿させることができる。
【００５８】
また、図７（ａ）及び（ｂ）に示す通り、被覆上面整畦部４０の頂面４１には、上面整畦部３０が被覆上面整畦部４０の内側に入れ子状に内挿した際に、上面整畦部３０の頂壁面３１を視認可能とする視認切り欠穴４７が施されている。
【００５９】
さらに、コ字状の把持部材４４が二カ所の端部４４ａを法面整畦部２０に向けた状態で、頂面４１を貫通させて保持されており、特に、端部４４ａ（二カ所）にバネ部材４４ｂを備え、把持部材４４の端部４４ａは、常に法面整畦部２０に向けた方向に向けて付勢されて保持されている。
【００６０】
ここで、図８（ａ）及び（ｂ）を用いて、把持部材４４の端部４４ａ及びバネ部材４４ｂの構成等について、説明する。
詳細な構成として、図８（ａ）に示す通り、把持部材４４における二カ所の端部４４ａとともに、バネ部材４４ｂが頂面４１を貫通させて保持されており、バネ部材４４ｂの一端は、頂面４１の外側において頂面４１に固定されている外部バネ係止部４６ａに係止され、他端は、頂面４１の内側において端部４４ａに固定されている内部バネ係止部４６ｂに係止されており、両端を保持されている。
【００６１】
そして、ユーザが、把持部材４４の操作部４４ｃを頂面４１の外側に引き出した際（図８（ｂ）参照）には、端部４４ａが頂面４１に近づくように摺動するとともに、バネ部材４４ｂは、外部バネ係止部４６ａに係止されている端部は動くことなく、内部バネ係止部４６ｂに係止されている端部は端部４４ａの動きとともに、頂面４１に向けて縮むこととなる。
【００６２】
つまり、ユーザは、被覆上面整畦部４０の内側に沈む方向に向けて付勢しているバネ部材４４ｂの付勢力に反して、把持部材４４の操作部４４ｃを外側に引き出すことで、端部４４ａが摺動することとなる。
【００６３】
ここにおいて、図７（ａ）及び（ｂ）を参照すると、被覆上面整畦部４０の頂面４１には、上面整畦部３０が被覆上面整畦部４０の内側に入れ子状に内挿している際に、その頂面４１の内側面から上面整畦部３０の頂壁面３１に向けて延び、頂面４１と頂壁面３１との軸方向の位置関係を固定するフック部材４２が設けられている。
【００６４】
フック部材４２の構成について、拡大して示した図９を用いて説明すると、フック部材４２は基端を頂面４１に固定され、図面（図９）の左側を湾曲形状とする先端突出部４２ａと、凹部４２ｂとを有している。
【００６５】
ここで、図７（ａ）を参照すると、法面整畦部２０に最も近いガイド部材４５には、ガイド部材４５から法面整畦部２０側に向けて順に、ガイド部材４５、緩衝部材４８及び肩部整畦部８０が設けられている。
【００６６】
ここで、肩部整畦部８０は略円錐形状となっており、上面整畦部３０が被覆上面整畦部４０の内側に入れ子状に内挿している際に、被覆上面整畦部４０の側面４３と、法面整畦部２０（固定部２４）との間を補完して、畦の肩部を整畦する。そして、肩部整畦部８０には、その一部分としてリング部材４９を設けており、そのリング部材４９によって、緩衝部材４８を介してガイド部材４５に固定されている。
【００６７】
図７（ａ）に示す通り、緩衝部材４８は、リング部材４９及びガイド部材４５に比べて、被覆上面整畦部４０の中心方向に向けて、僅かに突出しており、上面整畦部３０に被覆上面整畦部４０を装着する際に、上面整畦部３０の側壁面３４と被覆上面整畦部４０のガイド部材４５との接触を緩和することができる。
【００６８】
また、法面整畦部２０の固定部２４と肩部整畦部８０との間に、略円環状の土侵入防止リング８１を備えることで、肩部整畦部８０の内側への土の侵入を抑制でき、更に、土侵入防止リング８１の法面整畦部２０側に、土侵入防止リング８１よりも面積の大きい土侵入防止ゴム８２を付着させており、より効果的に、肩部整畦部８０の内側への土の侵入を抑えることができる。
【００６９】
なお、図７（ａ）に示す通り、略円錐形状の肩部整畦部８０の裾部近傍であって、法面整畦部２０（固定部２４）との間にリング状のシールゴム８３を設けてもよい。
【００７０】
ここで、図６（ａ）及び（ｂ）にて示した上面整畦部３０に、図７（ａ）及び（ｂ）にて示した被覆上面整畦部４０を被せた状態について、説明の便宜上、主要な構成を理解し易く示した断面構成図である図１０を参照しながら説明する。
図１０に示す通り、被覆上面整畦部４０を上面整畦部３０に被せた場合には、被覆上面整畦部４０に対して上面整畦部３０を入れ子状に内挿した状態となり、上面整畦部３０の側壁面３４及び頂壁面３１の外側が覆われることとなる。
【００７１】
この際に、被覆上面整畦部４０の側面４３の内側面に、上面整畦部３０の側壁面３４との間隔を周方向に向けて一定に保つ略円環状のガイド部材４５が設けられており、さらに、ガイド部材４５を上面整畦部３０の軸方向に複数ケ所備えることで、上面整畦部３０の軸方向においても、被覆上面整畦部４０の側面４３の内側面と上面整畦部３０の側壁面３４との間隔を一定に保つ構成としている。
【００７２】
つまり、ガイド部材４５を軸方向に複数ケ所備えることで、被覆上面整畦部４０を上面整畦部３０に被せた際には、被覆上面整畦部４０と上面整畦部３０との互いの中心軸（図中Ｏ）の軸合わせが既にできているため、作業が容易となる。
【００７３】
なお、上面整畦部３０の軸方向において、ガイド部材４５を複数ケ所備えた構成として説明しているものの、軸方向に向けて被覆上面整畦部４０の側面４３の内側面と上面整畦部３０の側壁面３４との間隔を一定に保つことができるかぎり、軸方向に一体として延びる円筒状の構成としてもよい。
【００７４】
ここで、上面整畦部３０への被覆上面整畦部４０の着脱に係る構成について、説明する。
被覆上面整畦部４０の頂面４１には、その頂面４１の内側面から上面整畦部３０の頂壁面３１に向けて延び、頂面４１と頂壁面３１との位置関係を固定するフック部材４２が設けられている。
【００７５】
そして、上面整畦部３０の頂壁面３１には、図１０に示す通り、被覆上面整畦部４０を上面整畦部３０に被せた状態において、フック部材４２が進入した状態となる切り欠部３２が施されている。
【００７６】
さらに、切り欠部３２には、被覆上面整畦部４０を上面整畦部３０に被せた状態のまま、ユーザが上面整畦部３０に対して被覆上面整畦部４０を回動操作させた際に、被覆上面整畦部４０のフック部材４２が係合する係合縁部３８が備わっている。
【００７７】
つまり、このフック部材４２が係合縁部３８へ係合することで、上面整畦部３０及び被覆上面整畦部４０の軸方向への位置関係が固定されることとなる。
【００７８】
そして、この上面整畦部３０と被覆上面整畦部４０との軸方向における位置関係を固定する軸方向ロック機構を構成する、これらフック部材４２、切り欠部３２及び係合縁部３８については、少なくとも軸方向における互いの位置関係が固定されるかぎり、大きさや、フック部材４２と係合縁部３８との係合する位置などを限定するものではない。
【００７９】
なお、図９にて先述した通り、フック部材４２は、先端部である先端突出部４２ａが湾曲形状とされており、被覆上面整畦部４０を上面整畦部３０に被せる際に、その湾曲形状とされている先端突出部４２ａが切り欠部３２の縁部に接触した場合であっても、スムーズにフック部材４２が切り欠部３２に侵入するようにガイドされる。
【００８０】
ここで、被覆上面整畦部４０の頂面４１には、図７（ａ）及び（ｂ）にて先述した通り、コ字状の把持部材４４（図１０においては部分表示）が保持されており、二カ所の端部４４ａを上面整畦部３０の頂壁面３１に向けた状態として、頂面４１を貫通させて保持されている。
【００８１】
そして、図１０に示す通り、頂面４１から上面整畦部３０の頂壁面３１に向けて露出している把持部材４４の端部４４ａ（二カ所）にバネ部材４４ｂを備えており、把持部材４４の端部４４ａは、常に上面整畦部３０の頂壁面３１に向けた方向、言い換えると、被覆上面整畦部４０の頂面４１における外観上、被覆上面整畦部４０の内側に沈む方向に向けて付勢されている。
【００８２】
さらに、上面整畦部３０の頂壁面３１には、被覆上面整畦部４０を上面整畦部３０に被せた状態のまま、ユーザが上面整畦部３０に対して被覆上面整畦部４０を回動操作させた際に、把持部材４４の端部４４ａが嵌合する嵌合孔３５が施されている。
【００８３】
つまり、バネ部材４４ｂの付勢力によって端部４４ａが嵌合孔３５へ嵌合することで、上面整畦部３０及び被覆上面整畦部４０の回動方向への位置関係が固定されることとなる。
【００８４】
そして、この上面整畦部３０と被覆上面整畦部４０との回動方向における位置関係を固定する回動方向ロック機構を構成する、これらバネ部材４４ｂ、端部４４ａ（把持部材４４）及び嵌合孔３５については、少なくとも回動方向における互いの位置関係が固定されるかぎり、大きさや、端部４４ａと嵌合孔３５との嵌合する位置などを限定するものではない。
【００８５】
次に、被覆上面整畦部４０を上面整畦部３０に被せた状態を維持しつつ、被覆上面整畦部４０を回転操作して上面整畦部３０に装着し、又は取り外す方法について、図１１〜図１５を参照しながら説明する。
【００８６】
ここで、図１１（ａ）、図１２（ａ）、図１３（ａ）は、図１０に示す状態と同じく被覆上面整畦部４０を上面整畦部３０に被せた状態について、説明の便宜上、主要な構成を理解し易く示した断面構成を示すものである。
【００８７】
そして、図１１（ｂ）、図１２（ｂ）、図１３（ｂ）は、図１１（ａ）、図１２（ａ）、図１３（ａ）に示す各々の状態において、被覆上面整畦部４０の頂面４１から法面整畦部２０の方向を見た実際の外観を示している。
【００８８】
また、図１４（ａ）、図１５（ａ）についても、図１０に示す状態と同じく被覆上面整畦部４０を上面整畦部３０に被せた状態について、説明の便宜上、主要な構成を理解し易く示した断面構成を示すものであり、図１４（ｂ）及び図１５（ｂ）は、図１４（ａ）及び図１５（ａ）に示す各々の状態において、被覆上面整畦部４０の頂面４１から法面整畦部２０の方向を見た実際の外観を示している。
【００８９】
先ず、図１１（ａ）に示す通り、被覆上面整畦部４０を上面整畦部３０に被せた状態においては、被覆上面整畦部４０のフック部材４２が、上面整畦部３０の切り欠部３２に進入した状態となり、把持部材４４の端部４４ａが上面整畦部３０の頂壁面３１に当接した状態となる。
【００９０】
ここにおいて、フック部材４２は、被覆上面整畦部４０の上面整畦部３０への装着及びロックのため、図１１（ａ）に示す通り、切り欠部３２に進入した状態となった後、その後の被覆上面整畦部４０の回転操作により、切り欠部３２の縁であって係合縁部３８に係合する構成とされており、被覆上面整畦部４０を上面整畦部３０に被せた段階で、切り欠部３２に進入させておく必要がある。
【００９１】
また、被覆上面整畦部４０の頂面４１から法面整畦部２０の方向を見た外観である図１１（ｂ）に示す通り、フック部材４２（実線表示）を二カ所設け、フック部材４２が進入する上面整畦部３０の切り欠部３２（点線表示）についても二カ所設けている。
【００９２】
さらに、被覆上面整畦部４０の頂面４１には、上面整畦部３０の頂壁面３１を視認可能な視認切り欠穴４７を施しており、ユーザはこの視認切り欠穴４７を介して、頂壁面３１の表面に固定されているボルト９の位置を確認することができる。
【００９３】
つまり、被覆上面整畦部４０を上面整畦部３０に被せる際に、ユーザはこの視認切り欠穴４７を見ながら、上面整畦部３０に対する被覆上面整畦部４０の位置調整をすることができるため、被覆上面整畦部４０のフック部材４２と、上面整畦部３０の切り欠部３２とが見えなくても、互いの位置関係をおおよそ把握でき、スムーズにフック部材４２を切り欠部３２に進入させて、被覆上面整畦部４０を上面整畦部３０に被せることができる。
【００９４】
また、先述した通り、被覆上面整畦部４０の側面４３の内側面には、上面整畦部３０の側壁面３４との間隔を周方向及び軸方向に向けて一定に保つ略円環状のガイド部材４５が設けられているため、被覆上面整畦部４０と上面整畦部３０との軸合わせを行う必要性がないことから、ユーザは、フック部材４２と切り欠部３２との位置合わせについて、径方向の位置調整を全く意識することなく、周方向の位置合わせのみを意識して、フック部材４２を切り欠部３２に進入させればよく、操作性に優れるものである。
【００９５】
なお、切り欠部３２は、図１１（ｂ）に示す通り、長孔として設けてあるものの、視認容易性を重視して大きく切り欠いた構成としてもよく、土付着や土進入を防止する場合には、小さい孔として構成してもよい。
【００９６】
そして、切り欠部３２の大小に関係なく、図１１（ｂ）に示す通り、ユーザの視認対象であるボルト９の位置に対応して「ロック位置（図中△矢印）」などの案内表示をしておくことで、ユーザの操作性を向上させることができ、反対に、案内表示を無くして、ユーザの感覚を優先してもよいものである。
【００９７】
さらに、切り欠部３２を介して視認する対象としてボルト９を記載しているものの、上面整畦部３０の頂壁面３１の表面に、目印を設けてもよく、その構成は問わない。
【００９８】
ここで図１２（ａ）は、図１１（ａ）に示す状態から、ユーザが更に被覆上面整畦部４０を法面整畦部２０に向けて押し込んだ状態を示している。
図１２（ａ）に示す通り、図中矢印Ｔの方向に向けてユーザが被覆上面整畦部４０の頂面４１を押し込むことで、バネ部材４４ｂが縮んだ状態となり、フック部材４２の先端が上面整畦部３０の切り欠部３２の中を、更に進入することとなる。
【００９９】
そして、フック部材４２の先端突出部４２ａは、上面整畦部３０の頂壁面３１の裏側に延出することとなり、フック部材４２の凹部４２ｂは、上面整畦部３０の軸方向において、頂壁面３１の位置であって係合縁部３８と同じ深さ位置に移動した状態となる。
【０１００】
ここで、図１２（ｂ）は、図１２（ａ）に示す状態において、ユーザによる図中矢印Ｔの方向への押し込んだ状態を示しており、この後ユーザは、図１２（ａ）に示す図中矢印Ｔの方向への押し込み状態を維持しつつ、図１２（ｂ）に示す図中矢印Ｒの方向へ回転操作することで、被覆上面整畦部４０を上面整畦部３０に装着及びロックすること（図１３（ａ）に示す状態）ができ、その詳細を次に説明する。
【０１０１】
先述した通り、図１２（ａ）に示す状態においては、フック部材４２の凹部４２ｂが、上面整畦部３０の軸方向において、頂壁面３１と同じ位置に移動した状態を維持されている。
【０１０２】
そして、その状態を維持しつつ、図１２（ｂ）に示す図中矢印Ｒの方向に、被覆上面整畦部４０を回転操作することで、先ず、フック部材４２の凹部４２ｂの中に、上面整畦部３０の頂壁面３１であって係合縁部３８が侵入することとなる。
【０１０３】
その後、更に被覆上面整畦部４０を回転操作し続けることで、図１３（ａ）に示す通り、凹部４２ｂが係合縁部３８に当接して、被覆上面整畦部４０の回転が止まり、この時点において、フック部材４２が係合縁部３８に係合したことになる。
【０１０４】
ここにおいて、被覆上面整畦部４０を、図１２（ｂ）に示す図中矢印Ｒの方向に回転操作し続けることで、把持部材４４の端部４４ａが上面整畦部３０の嵌合孔３５に近づき、さらに、嵌合孔３５に近接した状態から、端部４４ａが徐々に嵌合孔３５に滑り込み、最終的に、フック部材４２の凹部４２ｂが係合縁部３８に当接した時点で、端部４４ａ自身が嵌合孔３５に落ちることで、嵌合孔３５に嵌合したこととなる。
【０１０５】
つまり、フック部材４２の係合縁部３８への係合と略同時期に、把持部材４４の端部４４ａが、バネ部材４４ｂの付勢力によって、上面整畦部３０の嵌合孔３５に嵌合し、上面整畦部３０に対する被覆上面整畦部４０の位置が固定され、被覆上面整畦部４０が上面整畦部３０に装着及びロックされた状態となる。
【０１０６】
また、図１３（ｂ）に示す通り、複数のフック部材４２（実線表示）が、上面整畦部３０の係合縁部３８（点線表示）に係合した状態となり、かつ、把持部材４４の端部４４ａ（二カ所）が、上面整畦部３０の嵌合孔３５に嵌合した状態となり、被覆上面整畦部４０は、図１２（ｂ）に示した図中矢印Ｒの方向にそれ以上動くことがなく、図中矢印Ｒとは反対の方向にも動くことができなくなる。
【０１０７】
なお、先に図１１（ａ）において示した視認切り欠穴４７及びボルト９の位置関係と対比すると、視認切り欠穴４７におけるボルト９の位置が変化しており、ユーザは、この位置変化を参考に、フック部材４２が上面整畦部３０の切り欠部３２に係合したか否か、つまり、ロックされたか否かについて、外観上、確認しながら回転操作をすることができる。
【０１０８】
これらをまとめると、被覆上面整畦部４０を上面整畦部３０に装着する場合に、ユーザは、被覆上面整畦部４０を持ちつつ、視認切り欠穴４７を視認しながら上面整畦部３０に被せ、その被覆上面整畦部４０を更に押し込みながら、回転操作させるだけで被覆上面整畦部４０が上面整畦部３０に装着及びロックすることができ、操作の容易性及び迅速性を充足することとなる。
【０１０９】
つまりユーザは、上面整畦部３０に対して被覆上面整畦部４０を回転操作させることで、被覆上面整畦部４０を上面整畦部３０に装着及びロックでき、言い換えると、法面整畦部２０及び上面整畦部３０からなる既成整畦部に対して、被覆上面整畦部４０を回転操作させることで、被覆上面整畦部４０の装着及びロックを行うことができる。
【０１１０】
次に、被覆上面整畦部４０を上面整畦部３０から取り外す方法について、図１４及び図１５を参照しながら説明する。
ここにおいて、図１４（ａ）は、図１３（ａ）に示す状態から、ユーザの操作により把持部材４４の端部４４ａが嵌合孔３５から抜けた状態を示しており、図１４（ｂ）は、図１４（ａ）に示す状態において、被覆上面整畦部４０の頂面４１から法面整畦部２０の方向を見た実際の外観を示している。
【０１１１】
また、図１５（ａ）は、把持部材４４の端部４４ａが嵌合孔３５から抜けた状態のまま、ユーザの操作により被覆上面整畦部４０を回転操作させた状態を示しており、図１５（ｂ）は、図１５（ａ）に示す状態において、被覆上面整畦部４０の頂面４１から法面整畦部２０の方向を見た実際の外観を示している。
【０１１２】
ここで、被覆上面整畦部４０が上面整畦部３０に装着及びロックされた状態（図１３（ａ）及び（ｂ）に示す状態）から、被覆上面整畦部４０を取り外すには、図１４（ａ）に示すように、ユーザの操作により、先ず、把持部材４４の操作部４４ｃを、バネ部材４４ｂの付勢力の働く方向とは反対の方向であって、図中矢印Ｕの方向に引き出し、把持部材４４の端部４４ａを上面整畦部３０の嵌合孔３５から抜く操作を行う。
【０１１３】
ここにおいて、図１４（ｂ）は、図１４（ａ）における被覆上面整畦部４０の頂面４１から法面整畦部２０の方向を見た外観を示しており、図１４（ａ）に示す状態が、操作部４４ｃが図中矢印Ｕの方向への引き出されただけの状態であるため、外観上、図１３（ｂ）に示す状態と何ら変わりはない。
【０１１４】
なお、ユーザは、図１４（ａ）に示す図中矢印Ｕの方向への操作部４４ｃの引き出し状態を維持しつつ、把持部材４４の操作部４４ｃを図１４（ｂ）に示す図中矢印Ｎの方向に回転操作することで、被覆上面整畦部４０を上面整畦部３０に装着及びロックされていた状態を解除すること（図１５（ａ）に示す状態）ができ、その詳細を次に説明する。
【０１１５】
先述した通り、図１４（ａ）に示す状態においては、ユーザの操作により、バネ部材４４ｂの付勢力に反して操作部４４ｃを引き出すことで、把持部材４４の端部４４ａが上面整畦部３０の嵌合孔３５から抜かれた状態とされており、その状態のまま、ユーザが更に図１４（ｂ）に示す図中矢印Ｎの方向に回転操作させることで、図１５（ａ）に示すように、把持部材４４の端部４４ａが上面整畦部３０の頂壁面３１の表面に移動することとなる。
【０１１６】
そして、図１５（ａ）に示す通り、その端部４４ａの頂壁面３１の表面への移動と同時に、フック部材４２の凹部４２ｂと係合縁部３８との係合状態が解除され、フック部材４２は切り欠部３２の中を移動することとなる。
【０１１７】
また、図１５（ｂ）に示す通り、複数のフック部材４２（実線表示）が、上面整畦部３０の切り欠部３２（点線表示）の縁部と離れた状態、つまり、係合が解除された状態となり、かつ、把持部材４４の端部４４ａ（二カ所）が、上面整畦部３０の嵌合孔３５から抜けた状態となっているため、ユーザは、上面整畦部３０から被覆上面整畦部４０を取り外すことができる。
【０１１８】
なお、ユーザは、被覆上面整畦部４０を取り外す際においても、視認切り欠穴４７を介して、ボルト９の位置変化を確認し、フック部材４２が上面整畦部３０の切り欠部３２から外れたか否か、外観上、確認しながら回転操作をすることができる。
【０１１９】
これらをまとめると、被覆上面整畦部４０を上面整畦部３０から取り外す場合に、ユーザは、把持部材４４の操作部４４ｃを引き出しつつ、視認切り欠穴４７を視認しながら、操作部４４ｃを回転操作させるだけで、被覆上面整畦部４０が上面整畦部３０に装着及びロックされていた状態を解除することができ、操作の容易性及び迅速性を充足することとなる。
【０１２０】
つまりユーザは、上面整畦部３０に対して被覆上面整畦部４０を回転操作させることで、被覆上面整畦部４０を上面整畦部３０から取り外すことができ、言い換えると、法面整畦部２０及び上面整畦部３０からなる既成整畦部に対して、被覆上面整畦部４０を回転操作させることで、被覆上面整畦部４０がロックされた状態の解除を行うことができる。
【０１２１】
ここにおいて先述した通り、視認切り欠穴４７を介してボルト９の位置を視認することで、回転操作の程度を認識することとしているものの、この構成に限定されることはなく、その変形例について、図１６（ａ）及び（ｂ）を用いて説明する。
【０１２２】
ここで、ユーザは、固定されている上面整畦部３０に対して、被覆上面整畦部４０をどの程度回転操作させたのか認識できれば良いため、この変形例においては、上面整畦部３０が固定されている法面整畦部２０と、被覆上面整畦部４０との間における回転操作の方向の位置関係を認識するための構成としている。
【０１２３】
具体的には、図１６（ａ）及び（ｂ）に示す通り、法面整畦部２０の外表面の特定位置に、上面整畦部３０に被覆上面整畦部４０を被せたのみの段階を示す回動開始目印（図中Ｓ）を設け、更に、被覆上面整畦部４０を上面整畦部３０に装着及びロックさせるために回動させて、回動終了位置としての位置を示す第一指標（図中Ｔ）を設けておく。
【０１２４】
先ず、被覆上面整畦部４０を上面整畦部３０に被せる際には、被覆上面整畦部４０の肩部整畦部８０に設けられた第二指標（図中Ｕ）が法面整畦部２０における回動開始目印（図中Ｓ）に合うように、ユーザが被覆上面整畦部４０を上面整畦部３０に被せればよい。
【０１２５】
そして、被覆上面整畦部４０を上面整畦部３０に被せた後に、被覆上面整畦部４０の肩部整畦部８０に設けられた第二指標（図中Ｕ）が、法面整畦部２０における第一指標（図中Ｔ）に合うようにユーザが被覆上面整畦部４０を回転操作させることで、装着及びロックができることとなる。
【０１２６】
つまり、変形例として示す図１６（ａ）及び（ｂ）においては、上面整畦部３０に対して被覆上面整畦部４０を回動させる際の回動終了位置として、上面整畦部３０の外表面に第一指標（図中Ｔ）を設け、さらに、被覆上面整畦部４０には、回動操作を行った際に、その第一指標（図中Ｔ）の近傍に移動することとなる第二指標（図中Ｕ）を設けた構成としている。
【０１２７】
なお、被覆上面整畦部４０の頂面４１には、上面整畦部３０の頂壁面３１に突出するボルト９を視認可能とする視認切り欠穴４７を施しており、さらに視認切り欠穴４７の縁に「ロック位置（図中△矢印）」との案内表示を設けている。
【０１２８】
つまり、この「ロック位置（図中△矢印）」との案内表示が、変形例における第一指標に相当し、上面整畦部３０の頂壁面３１に突出するボルト９が、変形例における第二指標に相当することとなる。
【０１２９】
よって、上面整畦部３０に対して被覆上面整畦部４０を回動させる際の回動終了位置として、上面整畦部３０又は被覆上面整畦部４０のいずれか一方に第一指標を設け、さらに、第一指標を設けていない上面整畦部３０又は被覆上面整畦部４０に、回動操作を行った際に、その第一指標の近傍に移動することとなる第二指標を設けておくことにより、ユーザは、回転操作の程度を認識することができる。
【０１３０】
次に、被覆上面整畦部４０の軸方向に向けて、把持部材４４の操作部４４ｃが移動する位置を固定するピン部材について、把持部材４４の断面拡大図である図１７を参照しながら説明する。
【０１３１】
ここで、図１７（ａ）は、把持部材４４の端部４４ａが嵌合孔３５に係合した状態であって、把持部材４４がバネ部材４４ｂの付勢力によって法面整畦部２０の方向に向けて移動している状態を示し、図１７（ｂ）は、バネ部材４４ｂの付勢力に反して、ユーザが把持部材４４を法面整畦部２０とは反対の方向へ移動させた状態であって、端部４４ａが嵌合孔３５から抜けた状態を示している。
【０１３２】
図１７（ａ）に示す通り、把持部材４４における装着ロック孔４４ｄにピン部材５０を挿入しておくことで、把持部材４４の端部４４ａが嵌合孔３５に係合する際に、端部４４ａの軸方向への移動量を所定の範囲に制限することができる。
【０１３３】
また、被覆上面整畦部４０を上面整畦部３０から取り外す際には、ユーザ自身が、バネ部材４４ｂの付勢力に反して、把持部材４４の操作部４４ｃを引き出すことになるため、ユーザが操作部４４ｃを引き出した後、図１７（ｂ）に示す通り、把持部材４４における解除ロック孔４４ｅにピン部材５０を挿入しておくことで、ユーザの手を保護することができる。
【０１３４】
具体的には、先ずユーザは、図中矢印Ｕの方向に把持部材４４の操作部４４ｃを引き出した後、解除ロック孔４４ｅにピン部材５０を挿入し、その後はバネ部材４４ｂの付勢力の反発を気にすることなく、操作部４４ｃを回転操作させるだけでよく、操作性に優れるとともに、安全性にも優れる。
【０１３５】
以上から、径の異なる上面整畦部３０が必要になった際に、既設の上面整畦部の取り外しを要することなく、既に装着してある上面整畦部３０を装着させた状態のまま、被覆上面整畦部４０を更に取り付けることができるため、畦高さに見合った調整作業を短時間で行うことができる。
【０１３６】
また、被覆上面整畦部４０の側面４３の内側面に、上面整畦部３０の側壁面３４との間隔を周方向及び軸方向に向けて一定に保つガイド部材４５を設けたことから、被覆上面整畦部４０を取り付ける際に、被覆上面整畦部４０と上面整畦部３０との軸合わせを改めて行う必要がなく、作業が容易となる。
【０１３７】
さらに、軸方向ロック機構及び回動方向ロック機構を共に備えることで、被覆上面整畦部４０を法面整畦部２０に向けて押し込んだ後に、被覆上面整畦部４０を一方の方向に回転させるだけで、上面整畦部３０に対して被覆上面整畦部４０が装着及びロックされ、また、取り外す時には、被覆上面整畦部４０を他方の方向に回転させることで装着及びロックされていた状態が解除されることから、操作が容易であり、迅速に作業を行うことができる。
【０１３８】
そして、被覆上面整畦部４０の頂面４１に視認切り欠穴４７を施しておくことで、被覆上面整畦部４０を法面整畦部２０に向けて押し込む際、及び、被覆上面整畦部４０を法面整畦部２０に対して回転操作させる際に、被覆上面整畦部４０と上面整畦部３０との位置関係を視認確認でき、被覆上面整畦部４０の回転操作の状態を把握することができる。
このため、ユーザは、視認切り欠穴４７を見ながら、被覆上面整畦部４０がロックされたか否かを判断し、必要に応じて回転操作を行うことができる。
【０１３９】
なお、略柱形状の上面整畦部３０に、被覆上面整畦部４０を装着する構成を用いて説明してきたものの、被覆上面整畦部４０については、土を効果的に畦の上面に押しつけるため、樹脂等の可撓性部材からなる上面羽根板を、上面整畦部の回動方向の上流側の端部から下流側の端部に向けて、弾力性を保持しながら徐々に径大として装着した構成として、適用してもよい。
【０１４０】
その場合、実際の畦塗り作業において、畦の上面からの反作用を過大に受けたときであっても、ガイド部材４５により、被覆上面整畦部４０に対する径方向の圧力の耐久性を備えることにもなり、樹脂等の可撓性部材からなる上面羽根板とともに、効果的に畦の上面を成形することができる。
【０１４１】
ここで、被覆上面整畦部４０におけるガイド部材４５の変形例について、図１８（ａ）及び（ｂ）を参照しながら説明する。
ガイド部材４５は、先述した通り、上面整畦部３０の側壁面３４との間隔を周方向及び軸方向に向けて一定に保つ構成であればよく、図７（ａ）及び（ｂ）においては、略円環状のガイド部材４５を軸方向に亘って複数個所配置した構成となっている。
【０１４２】
ここにおいて、図１８（ａ）及び（ｂ）に示す構成は、軸方向に延びるガイド部材４５を周方向に亘って４カ所配置し、各々のガイド部材４５の幅（図中Ｄ）を略同一の長さとして構成しており、この構成においても、上面整畦部３０を内挿した際には、上面整畦部３０の側壁面３４との距離を周方向及び軸方向に向けて一定に保つことができる。
【０１４３】
さらに、被覆上面整畦部４０の変形例である羽根付被覆上面整畦部８５について、その断面構成図等を示す図１９（ａ）及び（ｂ）を参照しながら説明する。
ここにおいて、図１９（ａ）は、羽根付被覆上面整畦部８５の断面構成を示し、図１９（ｂ）は、図１９（ａ）に示す状態において、羽根付被覆上面整畦部８５の頂面４１からの実際の外観を示している。
なお、図１９（ａ）及び（ｂ）は、説明の便宜上、本来は周囲に装着される上面羽根板の図示を省略しており、上面整畦部３０に装着される側面４３の内側構成を示している。
【０１４４】
ここで、羽根付被覆上面整畦部８５は、図７（ａ）及び（ｂ）に示す被覆上面整畦部４０とは、側面４３の形状が異なっており、実際には、図１９（ｃ）に示す通り、八角形の側面４３の各々の辺部分には、それぞれ上面羽根板がそれぞれ取り付けられる。
【０１４５】
なお、図１９（ｃ）に示す通り、羽根付被覆上面整畦部８５においては、上面羽根板が、八角形の側面４３の各々の辺部分に取り付けられているため、羽根付被覆上面整畦部８５が上面整畦部３０に装着された際には、全ての上面羽根板が法面整畦部２０に向けて延在して、法面整畦部２０の表面に向けて滑らかに湾曲した構成となり、その湾曲した部分により畦の肩部を整畦できるため、図７（ａ）及び（ｂ）に示す被覆上面整畦部４０とは異なり、肩部整畦部８０を備える必要がなくなる。
【０１４６】
ここにおいて、ユーザは、被覆上面整畦部４０及び羽根付被覆上面整畦部８５を予め所有しておくことで、図６（ａ）及び（ｂ）に示す上面整畦部３０に対し、ユーザは畦の土質等を考慮して、図７（ａ）及び（ｂ）に示す被覆上面整畦部４０を装着し、又は、図１９（ａ）及び（ｂ）に示す複数枚の上面羽根板が取り付けられた羽根付被覆上面整畦部８５を装着することができ、適宜、選択することができる。
【０１４７】
言い換えると、被覆上面整畦部４０の側面４３の形状の相違を問わず、側面４３の形状として様々なバリエーションの被覆上面整畦部４０を、上面整畦部３０に簡易的に装着することができ、また、先述した上面羽根板を一例として、被覆上面整畦部４０の側面４３に様々な羽根等の構成を取り付けた被覆上面整畦部４０を装着することもでき、図１９（ａ）及び（ｂ）に示す羽根付被覆上面整畦部８５は、その一例として示したものである。
【０１４８】
図２０は、本発明の第１実施形態を示すものである。なお、前記実施形態と同様の構成部分には、同一の符号を付して示す。
【０１４９】
本実施形態の畦塗り機１の被覆上面整畦部４０には、上面整畦部３０から被覆上面整畦部４０を取り外す操作の際にユーザが把持して被覆上面整畦部４０を回動させる操作が可能な回動操作部材１００が設けられている。
【０１５０】
回動操作部材１００は、一端側に対して他端側が略直角を成す棒状の部材からなり、一端側が頂面４１の外周側に回動自在に支持されている。回動操作部材１００の他端側は、ユーザが把持可能であり、回動させることによって被覆上面整畦部４０の径方向外側または径方向内側に位置させることが可能である。回動操作部材１００は、一端側が頂面４１を貫通しており、被覆上面整畦部４０の軸方向に移動自在に設けられている。頂面４１の上面整畦部３０側に位置する回動操作部材１００の一端側の外周部には、コイル状のバネ部材１０１が回動操作部材１００の一端側に設けられたバネ係止部１００ａと頂面４１との間で圧縮された状態で保持されている。回動操作部材１００は、バネ部材１０１の復元力によって常に上面整畦部３０側に付勢された状態となる。回動操作部材１００の他端側は、上面整畦部３０側に付勢された状態で、把持部材４４の操作部４４ｃと略同一の高さ位置に保持される。また、頂面４１の上面整畦部３０と反対側に位置する回動操作部材１００の一端側の外周部には、回動操作部材１００の他端部の延びる方向に突出するように形成され、後述するレバーブラケット１０２に係合可能な係合片１００ｂが設けられている。
【０１５１】
頂面４１の回動操作部材１００が支持された部分の周囲には、回動操作部材１００の回動する範囲を規制するとともに、回動操作部材１００の他端側を被覆上面整畦部４０の径方向内側に位置させた状態で姿勢を保持するためのレバーブラケット１０２が設けられている。
【０１５２】
レバーブラケット１０２は、金属板を屈曲することによって形成され、頂面４１に取り付けられている。レバーブラケット１０２は、頂面４１に沿って被覆上面整畦部の周方向に延びるブラケット本体１０２ａと、回動操作部材１００の他端側が被覆上面整畦部４０の径方向外側に位置する状態で、回動操作部材１００の所定の方向（図２０（ｂ）では時計回り）の回動を規制する回動規制部１０２ｂと、回動操作部材１００の他端側が被覆上面整畦部４０の径方向内側に位置する状態を格納状態として、回動操作部材１００の姿勢を保持する格納状態保持部１０２ｃと、が設けられている。ここで、上面整畦部３０の係合縁部３８に対する被覆上面整畦部４０のフック部材４２の凹部４２ｂの係合状態は、上面整畦部３０に対して被覆上面整畦部４０を所定の方向（図２０（ｂ）では時計回り）に回動させることによって解除される。また、畦塗り作業時において、被覆上面整畦部４０が装着された上面整畦部３０は、所定の方向（図２０（ｂ）では時計回り）に回動する。
【０１５３】
回動規制部１０２ｂは、ブラケット本体１０２ａの被覆上面整畦部４０の径方向外側に位置する部分から頂面４１と直交する方向に延びるように形成されている。回動規制部１０２ｂには、回動操作部材１００の他端側を被覆上面整畦部４０の径方向外側に向けた状態で、回動操作部材１００の係合片１００ｂが当接する。これにより、回動操作部材１００は、他端側を被覆上面整畦部４０の径方向外側に向けた状態から所定の方向（図２０（ｂ）では時計回り）への回動が規制される。
【０１５４】
格納状態保持部１０２ｃは、ブラケット本体１０２ａの被覆上面整畦部４０の径方向内側に位置する部分から径方向中央部に向かって斜めに延びるように形成されている。格納状態保持部１０２ｃには、回動する回動操作部材１００の係合片１００ｂが接触可能である。格納状態保持部１０２ｃは、係合片１００ｂを接触させることによって、回動操作部材１００を、バネ部材１０１の復元力に抗して頂面４１と直交する方向に移動させ、頂面４１と直交する方向に移動させた状態を保持することが可能である。
【０１５５】
回動操作部材１００は、他端側を格納状態保持部１０２ｃと把持部材４４の操作部４４ｃとの間に位置させることで、格納状態が保持される。また、格納状態の回動操作部材１００は、バネ部材１０１の復元力に抗する方向に移動させながら他端側を所定の方向に回動させると、係合片１００ｂが格納状態保持部１０２ｃを乗り越え、係合片１００ｂが格納状態保持部１０２ｃを通過する。これにより、回動操作部材１００は、他端側を被覆上面整畦部４０の径方向外側に張り出させることが可能となる。さらに、他端側が被覆上面整畦部４０の径方向外側に位置する状態の回動操作部材１００は、他端側を所定の方向と反対方向（図２０（ｂ）では反時計回り）に回動操作部材１００を回動させると、係合片１００ｂが格納状態保持部１０２ｃに接触しながら格納状態保持部１０２ｃを乗り越え、係合片１００ｂが格納状態保持部１０２ｃを通過する。これにより、回動操作部材１００は、他端側が格納状態保持部１０２ｃと把持部材４４の操作部４４ｃとの間に位置して格納状態となる。
【０１５６】
以上のように構成された畦塗り機において、被覆上面整畦部４０が上面整畦部３０に装着された状態で畦塗り作業を行う場合には、回動操作部材１００の他端側を、把持部材４４の操作部４４ｃと格納状態保持部１０２ｃとの間に位置させる格納状態とする。
【０１５７】
また、被覆上面整畦部４０が上面整畦部３０に装着された状態から被覆上面整畦部４０を取り外す場合には、先ず、ユーザは、格納状態の回動操作部材１００の他端側を、バネ部材１０１の復元力に抗する方向に移動させながら所定の方向に回動させて被覆上面整畦部４０の径方向外側に張り出させた状態とする。このとき、回動操作部材１００と共に回動する係合片１００ｂは、レバーブラケット１０２の格納状態保持部１０２ｃを乗り越えながら通過し、回動規制部１０２ｂに当接した状態となる。
【０１５８】
次に、ユーザは、一方の手で把持部材４４の操作部４４ｃをバネ部材４４ｂの付勢力に抗して上面整畦部３０から離れる方向に引き出す操作を行う。このとき、把持部材４４の端部４４ａは、上面整畦部３０の嵌合孔３５から抜き出され、上面整畦部３０に対する被覆上面整畦部４０の回動方向のロックが解除された状態となる。
【０１５９】
さらに、ユーザは、一方の手で把持部材４４の操作部４４ｃを引き出す操作を維持しながら、他方の手で回動操作部材１００の他端側を把持して被覆上面整畦部４０を所定の方向（図２０（ｂ）では時計回り）に回動操作する。このとき、フック部材４２の凹部４２ｂは、係合縁部３８との係合状態が解除された状態となる。
【０１６０】
最後に、ユーザは、一方の手で把持部材４４の操作部４４ｃを把持するとともに、他方の手で回動操作部材１００の他端側を把持したまま、法面整畦部２０から離れる方向に引き出す操作を行い、上面整畦部３０から被覆上面整畦部４０を取り外す。
【０１６１】
また、上面整畦部３０に被覆上面整畦部４０が装着されており、回動操作部材１００の他端側が格納状態になく、被覆上面整畦部４０の径方向外側に位置している状態で畦塗り作業が行われた場合には、被覆上面整畦部４０が所定の方向（図２０（ｂ）では時計回り）に回動するため、回動操作部材１００は、他端部が畦に接触して所定の方向と反対方向（図２０（ｂ）では反時計回り）に回転する。このため、回動操作部材１００が格納状態にない場合にも、畦塗り作業が可能であり、回動操作部材１００が破損することもない。
【０１６２】
このように、本実施形態の畦塗り機によれば、上面整畦部３０に対して被覆上面整畦部４０を取り外す操作の際に把持して被覆上面整畦部４０を回動させる操作が可能な回動操作部材１００を備えている。
これにより、ユーザは回動操作部材１００を把持しながら被覆上面整畦部４０を回動させる操作が可能となることから、畦塗り作業によって法面整畦部２０と被覆上面整畦部４０との間に土が侵入し、上面整畦部３０に対する被覆上面整畦部４０の結合が強固となる場合においても、ユーザは、上面整畦部３０に対して被覆上面整畦部４０を容易に回動させることができ、容易かつ迅速に被覆上面整畦部４０を取り外す作業を行うことができる。
【０１６３】
また、回動操作部材１００は、他端側を、被覆上面整畦部４０を取り外す操作の際に被覆上面整畦部４０の径方向外側に位置させ、被覆上面整畦部４０を取り外す操作を行わない場合に、被覆上面整畦部４０の径方向内側に位置させることが可能である。
これにより、被覆上面整畦部４０を取り外す操作の際には、回動操作部材１００の他端側を被覆上面整畦部４０の径方向外側に位置させることができるので、被覆上面整畦部４０に対して大きな回動力を付与することができる。また、被覆上面整畦部４０を取り外す操作を行わない場合には、回動操作部材１００の他端側を被覆上面整畦部４０の径方向内側に位置させることができるので、畦塗り作業を行う際に回動操作部材１００の他端側が畦に接触することはない。
【０１６４】
また、回動操作部材１００は、格納状態でなく、他端側が被覆上面整畦部４０の径方向外側に位置する状態で畦塗り作業を行った場合に、他端部が畦に接触することによって被覆上面整畦部４０の径方向内側に移動する。
これにより、回動操作部材１００が格納状態にない場合でも、畦塗り作業が可能であり、また、回動操作部材１００の破損を防止可能である。
【０１６５】
また、回動操作部材１００は、上面整畦部３０に対して被覆上面整畦部４０を取り外す方向の操作の際に被覆上面整畦部４０を回動させる力が作用する。
これにより、畦塗り作業によって法面整畦部２０と被覆上面整畦部４０との間に土が侵入して上面整畦部３０と被覆上面整畦部４０との結合が強固となった場合に、回動操作部材１００を用いることで、確実に上面整畦部３０に対して被覆上面整畦部４０を取り外すことが可能となる。
【０１６６】
図２１は本発明の第２実施形態を示すものである。なお、前記実施形態と同様の構成部分には、同一の符号を付して示す。
【０１６７】
本実施形態の畦塗り機１は、第１実施形態における、上面整畦部３０に対する被覆上面整畦部４０の回動方向の位置関係を固定する回動方向ロック機構の構成要素としての把持部材４４と、回動操作部材１００と、を一体に形成した一対のロック解除回動操作部１１０を備えている。
【０１６８】
各ロック解除回動操作部１１０は、嵌合孔３５に嵌合して上面整畦部３０に対する被覆上面整畦部４０の回動方向の位置関係を固定するための回動方向ロック部材１１１と、回動方向ロック部材１１１の上面整畦部３０と反対側に位置する端部に回動自在に支持され、回動方向ロック部材１１１を被覆上面整畦部４０の軸方向に移動させるためのカム１１２と、カム１１２に固定された回動操作部材１１３と、回動操作部材１１３の他端側を頂面４１上に保持する保持部１１４と、を有している。
【０１６９】
回動方向ロック部材１１１は、一端部１１１ａが嵌合孔３５に嵌合可能な棒状の部材からなり、頂面４１を貫通して被覆上面整畦部４０の軸方向に移動自在に設けられている。回動方向ロック部材１１１は、一端部１１１ａにバネ部材１１１ｂを備えており、上面整畦部３０側に向けて付勢されている。
【０１７０】
カム１１２は、回動方向ロック部材１１１の径方向両側に配置された一対の板状部材からなり、一端側が支軸１１２ａを介して回動方向ロック部材１１１の他端側に回動自在に支持されている。カム１１２は、他端部を被覆上面整畦部４０の径方向内側に向けた状態で、回動方向ロック部材１１１の一端部１１１ａを嵌合孔３５に嵌合させ、他端部を被覆上面整畦部４０の径方向外側に向けた状態で、回動方向ロック部材１１１の一端部１１１ａを嵌合孔３５から抜けた状態とする。また、カム１１２は、回動方向ロック部材１１１を上面整畦部３０側に付勢するバネ部材１１１ｂの付勢力によって、他端部を被覆上面整畦部４０の径方向内側または外側に向けた姿勢が保持される。さらに、カム１１２の他端側には、回動操作部材１１３の一端側が溶接等によって固定されている。
【０１７１】
回動操作部材１１３は、回動方向ロック部材１１１と略同一の径方向寸法を有する棒状の部材からなり、他端側を被覆上面整畦部４０の径方向外側に向けた状態で、他端側が被覆上面整畦部４０の径方向外側に張り出す長さ寸法を有する。
【０１７２】
保持部１１４は、弾性を有する部材からなり、頂面４１から上面整畦部３０と反対側に向かってに延びる一対の保持片１１４ａを有している。保持部１１４は、一対の保持片１１４ａの間に回動操作部材１１３の他端側を位置させることによって、弾性変形した各保持片１１４ａの復元力によって回動操作部材１１３を保持することが可能である。
【０１７３】
以上のように構成された畦塗り機において、被覆上面整畦部４０が上面整畦部３０に装着された状態で畦塗り作業を行う場合には、各ロック解除回動操作部１１０の回動操作部材１１３の他端側を、被覆上面整畦部４０の径方向内側に位置させて保持部１１４に保持させた格納状態とする。
【０１７４】
また、被覆上面整畦部４０が上面整畦部３０に装着された状態から被覆上面整畦部４０を取り外す場合には、先ず、ユーザは、格納状態の各ロック解除回動操作部１１０の回動操作部材１１３の他端部を保持部１１４から取り外して回動させ、回動操作部材１１３の他端部を被覆上面整畦部４０の径方向外側に張り出した状態とする。このとき、回動方向ロック部材１１１の一端部１１１ａは、上面整畦部３０の嵌合孔３５から抜き出され、上面整畦部３０に対する被覆上面整畦部４０の回動方向のロックが解除された状態となる。
【０１７５】
次に、ユーザは、一方の手で一方のロック解除回動操作部１１０の回動操作部材１１３の他端側を把持するとともに、他方の手で他方のロック解除回動操作部１１０の回動操作部材１１３の他端側を把持して被覆上面整畦部４０を所定の方向（図２０（ｂ）では時計回り）に回動操作部材１１３を保持部１１４に当接させながら回動操作する。このとき、フック部材４２の凹部４２ｂは、係合縁部３８との係合状態が解除された状態となる。
【０１７６】
最後に、ユーザは、一方の手で一方のロック解除回動操作部１１０の回動操作部材１１３の他端側を把持するとともに、他方の手で他方のロック解除回動操作部１１０の回動操作部材１１３の他端側を把持したまま、法面整畦部２０から離れる方向に引き出す操作を行い、上面整畦部３０から被覆上面整畦部４０を取り外す。
【０１７７】
このように、本実施形態の畦塗り機によれば、前記実施形態と同様に、ユーザは各ロック解除回動操作部１１０の回動操作部材１１３を把持しながら被覆上面整畦部４０を回動させる操作が可能となることから、畦塗り作業によって法面整畦部２０と被覆上面整畦部４０との間に土が侵入し、上面整畦部３０に対する被覆上面整畦部４０の結合が強固となる場合においても、ユーザは、上面整畦部３０に対して被覆上面整畦部４０を容易に回動させることができ、容易かつ迅速に被覆上面整畦部４０を取り外す作業を行うことができる。
【０１７８】
また、上面整畦部３０に対する被覆上面整畦部４０の回動方向の位置関係を固定する回動方向ロック機構と、ユーザが把持して被覆上面整畦部４０を回動させる操作が可能な部材と、を一体に形成したロック解除回動操作部１１０を備えている。
これにより、回動操作部材１１３の他端側を被覆上面整畦部４０の径方向外側に張り出させる操作によって、上面整畦部３０に対する被覆上面整畦部４０の回動方向の位置関係の固定を解除することができるので、ユーザは、より一層、容易かつ迅速に被覆上面整畦部４０を取り外す作業を行うことができる。
【０１７９】
図２２は、本発明の第３実施形態を示すものである。なお、前記実施形態と同様の構成部分には同一の符号を付して示す。
【０１８０】
本実施形態の畦塗り機１は、第１実施形態における、上面整畦部３０に対する被覆上面整畦部４０の回動方向の位置関係を固定する回動方向ロック機構の構成要素としての把持部材４４と、回動操作部材１００と、を一体に形成したロック解除回動操作部１２０を備えている。
【０１８１】
ロック解除回動操作部１２０は、嵌合孔３５に嵌合して上面整畦部３０に対する被覆上面整畦部４０の回動方向の位置関係が固定された状態から、ユーザが操作して上面整畦部３０に対する被覆上面整畦部４０の回動方向の位置関係の固定を解除するためのロック解除部材１２１と、ロック解除部材１２１から出没自在に設けられた回動操作部材１２２と、を有している。
【０１８２】
ロック解除部材１２１は、ユーザが把持する把持部１２１ａと、把持部１２１ａの上面整畦部３０側に設けられ、嵌合孔３５に嵌合して上面整畦部３０に対する被覆上面整畦部４０の回動方向の位置関係を固定するための一対の回動方向ロック部１２１ｂと、を有している。
【０１８３】
把持部１２１ａは、頂面４１に沿って延びる中空円筒状に形成され、一端部が開口されている。把持部１２１ａには、一端部の開口から回動操作部材１２２が出没自在に収容されている。把持部１２１ａの一端部側の内部には、周方向に渡って内側に突出するように形成され、回動操作部材１２２の脱落を規制するための脱落規制部１２１ｃが設けられている。また、把持部１２１ａの一端側には、スナップピン１２３を挿入可能なピン挿入孔１２１ｄが設けられている。
【０１８４】
各回動方向ロック部１２１ｂは、嵌合孔３５に嵌合して上面整畦部３０に対する被覆上面整畦部４０の回動方向の位置関係を固定するものである。各回動方向ロック部１２１ｂは、一端部１２１ｅが嵌合孔３５に嵌合可能な棒状の部材からなり、頂面４１を貫通して被覆上面整畦部４０の軸方向に移動自在に設けられている。各回動方向ロック部１２１ｂは、一端部１２１ｅにバネ部材１２１ｆを備えており、上面整畦部３０側方向に付勢されている。
【０１８５】
回動操作部材１２２は、把持部１２１ａの内径寸法よりもやや小さい外径寸法を有する棒状の部材からなり、把持部１２１ａに収容された状態で一端部が、ユーザが保持可能な程度、把持部１２１ａの開口から突出している。また、回動操作部材１２２の他端部には、周方向に渡って径方向外側に張り出すように形成され、脱落規制部１２１ｃと係合する係合部１２１ｇが設けられている。さらに、回動操作部材１２２の両端側には、スナップピン１２３を挿入可能なピン挿入孔１２１ｈが設けられている。回動操作部材１２２は、一端側のピン挿入孔１２１ｈと把持部１２１ａのピン挿入孔１２１ｄとの位置を互いに合わせてスナップピン１２３を挿入することによって把持部１２１ａに収容された状態を維持することが可能である。また、回動操作部材１２２は、他端側のピン挿入孔１２１ｈと把持部１２１ａのピン挿入孔１２１ｄとの位置を互いに合わせてスナップピン１２３を挿入することによって把持部１２１ａから張り出した状態を維持することが可能である。
【０１８６】
以上のように構成された畦塗り機において、被覆上面整畦部４０が上面整畦部３０に装着された状態で畦塗り作業を行う場合に、ロック解除回動操作部１２０の回動操作部材１２２は、一端側のピン挿入孔１２１ｈとロック解除部材１２１の把持部１２１ａのピン挿入孔１２１ｄとの位置を互いに合わせてスナップピン１２３を挿入することによって把持部１２１ａに収容された格納状態とする。
【０１８７】
また、被覆上面整畦部４０が上面整畦部３０に装着された状態から被覆上面整畦部４０を取り外す場合には、先ず、ユーザは、スナップピン１２３を挿入孔１２１ｄ，１２１ｈから取り外して把持部１２１ａに収容された回動操作部材１２２を引き出す。そして、ユーザは、回動操作部材１２２の他端側の挿入孔１２１ｈと把持部１２１ａの挿入孔１２１ｄとを互いに合わせてスナップピン１２３を挿入し、回動操作部材１２２の一端側を被覆上面整畦部４０の径方向外側に張り出した状態とする。
【０１８８】
次に、ユーザは、一方の手でロック解除部材１２１の把持部１２１ａをバネ部材１２１ｆの付勢力に抗して法面整畦部２０から離れる方向に引き出す操作を行う。このとき、回動方向ロック部１２１ｂの一端部１２１ｅは、上面整畦部３０の嵌合孔３５から抜き出され、上面整畦部３０に対する被覆上面整畦部４０の回動方向のロックが解除された状態となる。
【０１８９】
さらに、ユーザは、一方の手でロック解除部材１２１の把持部１２１ａを引き出した状態を維持しながら、他方の手で回動操作部材１２２の一端側を把持して被覆上面整畦部４０を所定方向に回動操作する。このとき、フック部材４２の凹部４２ｂは、係合縁部３８との係合状態が解除された状態となる。
【０１９０】
最後に、ユーザは、一方の手でロック解除部材１２１の把持部１２１ａを把持するとともに、他方の手で回動操作部材１２２の一端側を把持したまま、法面整畦部２０から離れる方向に引き出す操作を行い、上面整畦部３０から被覆上面整畦部４０を取り外す。
【０１９１】
また、各ロック解除回動操作部１２０の回動操作部材１２２は、被覆上面整畦部４０を何れの方向にも回動させることが可能であるため、上面整畦部３０に対して被覆上面整畦部４０を装着する場合においても利用可能である。
【０１９２】
このように、本実施形態の畦塗り機によれば、前記実施形態と同様に、ユーザはロック解除回動操作部１２０の回動操作部材１２２の一端側を把持しながら被覆上面整畦部４０を回動させる操作が可能となることから、畦塗り作業によって法面整畦部２０と被覆上面整畦部４０との間に土が侵入し、上面整畦部３０に対する被覆上面整畦部４０の結合が強固となる場合においても、ユーザは、上面整畦部３０に対して被覆上面整畦部４０を容易に回動させることができ、容易かつ迅速に被覆上面整畦部４０を取り外す作業を行うことができる。
【０１９３】
また、上面整畦部３０に対する被覆上面整畦部４０の回動方向の位置関係を固定する回動方向ロック機構と、ユーザが把持して被覆上面整畦部４０を回動させる操作が可能な部材と、を一体に形成したロック解除回動操作部１２０を備えている。
これにより、被覆上面整畦部４０に取り付ける部品点数が少なくなることから、被覆上面整畦部４０の組付け工数が少なくなり、製造コストの低減を図ることが可能となる。
【０１９４】
図２３は、本発明の第４実施形態を示すものである。なお、前記実施形態と同様の構成部分には同一符号を付して示す。
【０１９５】
本実施形態の畦塗り機１は、第１乃至第３実施形態に示す法面整畦部２０の頂部に、取付基板１３０が設けられ、取付基板１３０に対して上面整畦部１４０が着脱自在である。
【０１９６】
この畦塗り機１は、第１乃至第３実施形態における上面整畦部３０と上面整畦部３０に対して着脱自在に設けられた被覆上面整畦部４０との関係と同様に、取付基板１３０に対して上面整畦部１４０を回動操作することによって、取付基板１３０に対して上面整畦部１４０を着脱可能としている。また、畦塗り機１は、第１乃至第３実施形態と同様に、取付基板１３０と上面整畦部１４０との軸方向における位置関係を固定する軸方向ロック機構と、取付基板１３０と上面整畦部１４０との回動方向における位置関係を固定する回動方向ロック機構と、を有している。
【０１９７】
畦塗り機１の上面整畦部１４０には、取付基板１３０から上面整畦部１４０を取り外す操作の際にユーザが把持して上面整畦部１４０を回動させる操作が可能な回動操作部材１００が第１実施形態と同様に設けられている。
【０１９８】
以上のように構成された畦塗り機において、第１実施形態における上面整畦部３０に被覆上面整畦部４０が装着された状態から被覆上面整畦部４０を取り外す場合と同様に、取付基板１３０から上面整畦部１４０を取り外すことが可能となる。
【０１９９】
このように、本実施形態の畦塗り機によれば、第１実施形態と同様に、ユーザは回動操作部材１００を把持しながら上面整畦部１４０を回動させる操作が可能となることから、畦塗り作業によって法面整畦部２０と上面整畦部１４０との間に土が侵入し、取付基板１３０に対する上面整畦部１４０の結合が強固となる場合においても、ユーザは、取付基板１３０に対して上面整畦部１４０を容易に回動させることができ、容易かつ迅速に上面整畦部１４０を取り外す作業を行うことができる。
【０２００】
図２４は、本発明の第５実施形態を示すものである。なお、前記実施形態と同様の構成部分には同一符号を付して示す。
【０２０１】
本実施形態の畦塗り機１は、第１乃至第３実施形態に示す法面整畦部２０の頂部に、上面整畦部１５０が取り付けられ、上面整畦部１５０の頂壁面１５１に、延長上面整畦部１６０が着脱自在である。
【０２０２】
この畦塗り機１は、第１乃至第３実施形態における上面整畦部３０と上面整畦部３０に対して着脱自在に設けられた被覆上面整畦部４０との関係と同様に、上面整畦部１５０に対して延長上面整畦部１６０を回動操作することによって、上面整畦部１５０に対して延長上面整畦部１６０を着脱可能としている。また、畦塗り機１は、第１乃至第３実施形態と同様に、上面整畦部１５０と延長上面整畦部１６０との軸方向における位置関係を固定する軸方向ロック機構と、上面整畦部１５０と延長上面整畦部１６０との回動方向における位置関係を固定する回動方向ロック機構と、を有している。
【０２０３】
畦塗り機１の延長上面整畦部１６０には、上面整畦部１５０から延長上面整畦部１６０を取り外す操作の際にユーザが把持して延長上面整畦部１６０を回動させる操作が可能な回動操作部材１００が第１実施形態と同様に設けられている。
【０２０４】
以上のように構成された畦塗り機において、第１実施形態における上面整畦部３０に被覆上面整畦部４０が装着された状態から被覆上面整畦部４０を取り外す場合と同様に、上面整畦部１５０から延長上面整畦部１６０を取り外すことが可能となる。
【０２０５】
このように、本実施形態の畦塗り機によれば、第１実施形態と同様に、ユーザは回動操作部材１００を把持しながら延長上面整畦部１６０を回動させる操作が可能となることから、畦塗り作業によって上面整畦部１５０と延長上面整畦部１６０との間に土が侵入し、上面整畦部１５０に対する延長上面整畦部１６０の結合が強固となる場合においても、ユーザは、上面整畦部１５０に対して延長上面整畦部１６０を容易に回動させることができ、容易かつ迅速に延長上面整畦部１６０を取り外す作業を行うことができる。
【０２０６】
なお、前記第４実施形態では、取付基板１３０に対して回動操作することで上面整畦部１４０を着脱するものに、回動操作部材１００を設けたものを示したが、これに限られるものではない。取付基板１３０に対して回動操作することで上面整畦部１４０を着脱するものに、第２実施形態のロック解除回動操作部１１０や第３実施形態のロック解除回動操作部１２０を設けるようにしても、第４実施形態と同様の効果を得ることができる。
【０２０７】
また、前記第５実施形態では、上面整畦部１５０に対して回動操作することで延長上面整畦部１６０を着脱するものに、回動操作部材１００を設けたものを示したが、これに限られるものではない。上面整畦部１５０に対して回動操作することで延長上面整畦部１６０を着脱するものに、第２実施形態のロック解除回動操作部１１０や第３実施形態のロック解除回動操作部１２０を設けるようにしても、第５実施形態と同様の効果を得ることができる。
【符号の説明】
【０２０８】
１      畦塗り機
２０    法面整畦部
３０    上面整畦部
３２    切り欠部
３５    嵌合孔
３８    係合縁部
４０    被覆上面整畦部
４２    フック部材
４４    把持部材
４４ｂ  バネ部材
４４ｅ  解除ロック孔
４４ｄ  装着ロック孔
４５    ガイド部材
４７    視認切り欠穴
５０    ピン部材
１００  回動操作部材
１０２  レバーブラケット
１１０  ロック解除回動操作部
１１１  回動方向ロック部材
１１２  カム
１１３  回動操作部材
１１４  保持部
１２０  ロック解除回動操作部
１２１  ロック解除部材
１２２  回動操作部材
１３０  取付基板
１４０  上面整畦部
１５０  上面整畦部
１６０  延長上面整畦部
【図１】
2014124156.tif 000003
【図２】
2014124156.tif 000004
【図３】
2014124156.tif 000005
【図４】
2014124156.tif 000006
【図５】
2014124156.tif 000007
【図６】
2014124156.tif 000008
【図７】
2014124156.tif 000009
【図８】
2014124156.tif 000010
【図９】
2014124156.tif 000011
【図１０】
2014124156.tif 000012
【図１１】
2014124156.tif 000013
【図１２】
2014124156.tif 000014
【図１３】
2014124156.tif 000015
【図１４】
2014124156.tif 000016
【図１５】
2014124156.tif 000017
【図１６】
2014124156.tif 000018
【図１７】
2014124156.tif 000019
【図１８】
2014124156.tif 000020
【図１９】
2014124156.tif 000021
【図２０】
2014124156.tif 000022
【図２１】
2014124156.tif 000023
【図２２】
2014124156.tif 000024
【図２３】
2014124156.tif 000025
【図２４】
2014124156.tif 000026